(57)【要約】【課題】野菜水切り器使用操作時に、安定した簡易操作で野菜水切り器内の水切りかごに所要の回転を伝達する野菜水切り回転装置を構成する。【解決手段】水切りかご２’回転中心延長線上の外蓋部１上に直立で回転防止されることで上下動のみを可能とする螺旋シャフト４と、この螺旋シャフト４と回転自在に組み合うが外蓋部１内に若干の上下移動を許容して位置固定がなされ、該螺旋シャフト４の上下動作を介して外蓋部１内において水平の平面回転自在を可能とする回転子５と、回転子５に回転自在構造で一体構成され、螺旋シャフト４の上下動作を介して行われる回転子５の上下移動で所要とする一方回転作用を可能とするラチエット機能を構成し所要の回転を伝達を行う伝達用円盤９と、螺旋シャフト４上昇動作復元用のコイル・スプリング４’と、から成る野菜水切り用の回転装置を構成する。【選択図】図１
2010022522.tif 000002
【特許請求の範囲】
【請求項１】
野菜水切りかごの回転手段において、該水切りかごの回転中心延長線上で外蓋部上に直立し回転防止されることで上下動のみを可能とし所定の旋回角度を構成する螺旋シャフトと、この螺旋と組み合う螺旋溝を中心部に設け螺旋シャフトの上下動作により若干の上下移動があっても位置固定がなされることで、該螺旋シャフトの上下動作を介し外蓋部内で水平に平面回転を自在可能とするよう構成される回転子と、この回転子と一体構成の回転自在構造で水切りかご回転伝達用の伝達用円盤となどからなる水切りかごの回転装置と、直立構成の螺旋シャフトの動作復元用に構成されるばね装置と、から成ることを特徴とする野菜水切り用の回転装置。
【請求項２】
回転装置が、回転防止されて上下動作のみを可能とする螺旋シャフトと組み合い位置固定されることで、該螺旋シャフトの上下動作を介して外蓋部内で水平に平面回転自在とする回転子と水切りかご回転伝達用の伝達用円盤との間にラチエット機構を設け、螺旋シャフトの上下動作を介し所要とする一方回転作用を可能とするラチエット機能を構成して成ることを特徴とする請求項１記載の野菜水切り用の回転装置。
【請求項３】
ばね装置が、下降動作における螺旋シャフトの操作を妨げることなく上昇時における復元動作を確実にするため、所要のばね機能を構成するコイル・スプリングを設けて成ることを特徴とする請求項１記載の野菜水切り用の回転装置。
【発明の詳細な説明】
【技術分野】
【０００１】
本発明は、野菜水切り器における野菜水切り用の回転装置に関するものである。
【背景技術】
【０００２】
野菜水切り器において構成される水切りかごの回転伝達方法が、例えば卓上野菜水切り器において、電動モータ仕様のものや、また野菜水切り器の外蓋に装置する手動ハンドルなどで構成する平面回転を直接又は間接的に伝達されるものが実用に多く供されている。
【０００３】
しかし、野菜水切り器内の水切りかごの回転伝達には水平の平面回転で行うため、固定された電動モータ仕様のものは別として、外蓋に設けられる平面回転仕様の手動ハンドル操作は該外蓋を平均に押さえなければ不安定になり、したがって水切りかごの回転伝達に不具合を生ずるなどの欠点があった。
【特許文献１】特開平２００−２８７８５１号公報
【発明の開示】
【発明が解決しようとする課題】
【０００４】
以上のように、例えば野菜水切り器内の水切りかごの回転伝達手段が外蓋に設けられる平面回転仕様の手動ハンドル操作に代わる有効な機能手段が構成されていないという点である。
利用者が野菜水切り器を使用する場合、外蓋に設けられる平面回転仕様の手動ハンドルを外蓋を押さえながら回すという不安定操作方法と異なる有効な機能手段を提供することにある。
【課題を解決するための手段】
【０００５】
本発明は、野菜水切り器内で回転自在機能の水切りかごの回転中心延長線上で、外蓋部上に直立で回転防止されることで上下動のみを可能とする螺旋シャフトとこの螺旋と組み合う螺旋溝を中心部に構成し、該外蓋部内に若干の上下移動を許容するが位置固定がなされることで、該螺旋シャフトの上下動作を介して外蓋部内において水平の平面回転自在を可能とする回転子と、この回転子に回転自在構造で一体構成され、螺旋シャフトの上下動作を介して行われる回転子の若干の上下移動で所要とする一方回転作用を可能とするラチエット機能を構成して設けられことで所要回転の伝達を行う水切りかご回転伝達用の伝達用円盤と、外蓋部上に設けられる螺旋シャフト上昇動作復元用のばね機構と、などで機能構成したことを最も主要な特徴とする。
【発明の効果】
【０００６】
本発明の野菜水切り用の回転装置は、野菜水切り器の外蓋部上に設けられる平面回転仕様で水切りかごに回転を伝達するハンドル装置と異なり、外蓋部の中心位置上に直立し回転防止されることで上下動作のみを可能とする螺旋シャフトと回転自在に組み合う回転子を外蓋部内の所定位置に水平の平面回転自在構造で位置固定し、水切りかご回転伝達用の伝達用円盤を備え、該螺旋シャフト上下動作を介して行うことのできる水切りかごの所要回転を可能としたことは、野菜水切り器使用操作環境における安定性と利便性に大いに優れている。
【０００７】
請求項２の回転装置において、回転子と水切りかご回転伝達用の伝達用円盤との間にラチエット機構を設け、螺旋シャフトの上下動作に機能する一方回転作用を構成したことは、機能構成に大いに優れている。
【０００８】
請求項３のばね装置において、螺旋シャフト上昇作動復元用のばね装置に所要のばね機能を構成可能とするコイル・スプリングを採用したことは機能的に大いに優れている。
【発明を実施するための最良の形態】
【０００９】
野菜水切り器内で回転自在機能の水切りかご回転中心延長線上の外蓋部上に直立で回転防止されることで上下動のみを可能とする螺旋シャフトと、この螺旋シャフトと回転自在に組み合うが外蓋部内に若干の上下移動を許容して位置固定がなされることで、該螺旋シャフトの上下動作を介して外蓋部内において水平の平面回転自在を可能とする回転子と、この回転子に回転自在構造で一体構成され、螺旋シャフトの上下動作を介して行われる回転子の若干の上下移動で所要とする一方回転作用を可能とするラチエット機能を構成して設けられことで所要回転の伝達を行う水切りかご回転伝達用の伝達用円盤と、外蓋部上に設けられる螺旋シャフト上昇動作復元用のばね機構と、から成る野菜水切り用の回転装置を実現した。
【実施例１】
【００１０】
本発明の野菜水切り用の回転装置の一実施例で、図１は該装置における主要部分の組み合わせ構成を示す部分断面図で、図２は図１の平面図、図３は螺旋シャフトと組み合う回転子との構成を示す部分断面図で、図４は回転子の断面図、図５はラチエット歯を設ける伝達用円盤の部分説明図で、図６は伝達用円盤のラチエット歯と作用する鍔部のラチエット歯との説明図ある。
【００１１】
本発明の主体は野菜水切り用の回転装置系の実装方法にあるので、野菜水切り器における水切りかご等に関わる機能機構系の説明は省略する。
以下図面に基づいて詳細に説明する。
【００１２】
緩やかな螺旋状を形成しその曲面の両側面を滑らかな表面加工がなされれる若干長さ寸法の螺旋シャフト４は、一方の端部側に操作用とする厚手の円板状の押し下げハンドル部３が備えられている。
そして、該螺旋シャフト４を外蓋部１上で回転することなく上下動作を可能とするため、螺旋シャフト４に設けられる押し下げハンドル部３の一方側端部を若干切り取り該螺旋シャフト４と平行する垂直のカット部３’を形成し、このカット部３’と当接する直立部１’が螺旋シャフト４の所要とする上下動を妨げることがないように外蓋部１上に構成されている。
押し下げ操作時後の解放時における螺旋シャフト４の上昇復元動作を確実に行うため、押し下げ操作を妨げることなく所要とする復元ばね力を構成可能とするコイル・スプリング４’が、螺旋シャフト４の押し下げハンドル３の下面と外蓋部１の上面との間に設けられている。なお、螺旋シャフト４が上昇時において回転子５から抜け出すことのようになされているものである。
【００１３】
回転子５は、螺旋シャフト４と組み合う滑らかな曲面を形成する螺旋溝５’を中央部に構成し、螺旋シャフト４を介して回転自在とされる円筒形状で上下端部と中央寄りの所定位置にそれぞれ若干幅と高さ寸法を有する円板状の鍔部６，７，８が外周囲に構成されている。
そして、回転子５上部の鍔部６の下側面と外蓋部１の底部に設けられ所定の厚さ寸法を有して形成される鍔部１”の上側面との間に若干の余裕寸法を構成するが、該回転子５の円筒部分とこの回転子５の回転機能を妨げることなく組み合う鍔部１”の周部により回転子５本体を外蓋部１内において水平に平面回転を自在とするが、外蓋部１内での位置固定がなされている。
その際、野菜水切り器のケース２内で回転自在とされる水切りかご２’に設けられる回転中心の延長線上に位置する外蓋部１内の中心位置に該回転子５が組み込まれていものである。
【００１４】
回転子５の中央部寄りに設けられている鍔部７の上側面は外蓋部１の鍔部１”の下側面に回転子５の所定回転機能を妨げることなく当接するようになされ、下側面にはその円形状に沿って所要形状のラチエット歯７’が設けられ、回転子５円筒部分を中心軸とし回転子５の下端部に設けられている鍔部８の上側面によって回転自在で支えられている伝達用円盤９の上側面に同様に設けられるラチエット歯９’とかみ合うことができるようになされている。
なお、鍔部７のラチエット歯７’と伝達用円盤９のラチエット歯９’とのかみ合いは、螺旋シャフト４の下降動作に連動する回転子５の所定動作により行われ、螺旋シャフト４の復元上昇動作で該かみ合いが解除なされるものである。
【００１５】
回転子５の円筒部分をを中心軸として鍔８に支えられ回転自在の伝達用円盤９は、緩やかなドーム形状で弾性を有して水切りかご２’の上部開口部の蓋ができるように形成され、その外周縁部に下向きで設けられる縁部９”が該水切りかご２’の上部外周縁部に上向きで設けられる縁部２”に当接するようになされている。
その際、螺旋シャフト４の下降動作を介して行う回転子５の所要動作で若干の押圧力をもってかみ合う鍔７のラチエット歯７’とラチエット歯９’と、伝達用円盤９の有する形状機能効果とにより当接圧を高める縁部９”、２”を介して、伝達用円盤９が所要とする回転力を水切りかご２’に伝達できるものである。
【産業上の利用可能性】
【００１６】
野菜水切り用の回転装置の構成する回転機能性が、家庭用のみならず産業上多方面の商品及び製品の装置としての用途に応用利用ができる。
【図面の簡単な説明】
【００１７】
【図１】本発明の野菜水切り用の回転装置の一実施例における主要部分の組み合わせ構成を示す部分断面図である。（実施例１）
【図２】図１の平面図である。（実施例１）
【図３】外蓋部１内における、螺旋シャフト４と組み合う回転子５との組み合わせ構成を示す部分断面図である。
【図４】回転子５の断面図である。
【図５】ラチエット歯９’を設ける伝達用円盤９の部分平面図である。
【図６】伝達用円盤９のラチエット歯９’と作用する鍔部７のラチエット歯７’との説明図である。
【符号の説明】
【００１８】
１    外蓋部
１’  直立部
１”、６、７、８  鍔部
２    ケース
２’  水切りかご
２”、９”  縁部
３    押し下げハンドル部
３’  カット部
４    螺旋シャフト
４’  コイル・スプリング
５    回転子
５’  螺旋溝
７’、９’  ラチエット歯
９    伝達用円盤
【図１】
2010022522.tif 000003
【図２】
2010022522.tif 000004
【図３】
2010022522.tif 000005
【図４】
2010022522.tif 000006
【図５】
2010022522.tif 000007
【図６】
2010022522.tif 000008